(57)【特許請求の範囲】
【請求項１】
移動通信端末にパケット交換サービスを提供し、移動通信端末のパケット交換サービス用の加入者情報を保持するパケット交換ノードと、該パケット交換ノードと移動通信端末との間の通信を制御する無線制御装置と、移動通信端末に回線交換サービスを提供し、移動通信端末の回線交換サービス用の加入者情報を保持する回線交換ノードとを備え、前記パケット交換ノードの圏内の移動通信端末への着信処理を行う移動通信システムであって、
前記パケット交換ノードが、
前記移動通信端末への着信時に、該移動通信端末の前記加入者情報が前記パケット交換ノードに保持されているか否かを確認する確認手段と、
前記確認手段により前記加入者情報が前記パケット交換ノードに保持されていないことが確認された場合に、前記移動通信端末の回線交換サービス用の一時的な識別情報を、前記回線交換ノードから取得する識別情報取得手段と、
前記識別情報取得手段により取得された前記識別情報を前記移動通信端末へのページング指令に付加し、前記無線制御装置に送信するページング制御手段と、
を備えることを特徴とする移動通信システム。
【請求項２】
前記パケット交換ノードの前記ページング制御手段により送信される前記ページング指令には、前記移動通信端末の在圏する前記パケット交換ノードを特定する情報が含まれており、
前記無線制御装置が、
前記ページング制御手段から前記ページング指令を受信すると、前記識別情報と前記パケット交換ノードを特定する情報とを関連づけて保持する情報保持手段と、
前記ページング指令に応じて前記移動通信端末へ送信されるページング信号に対して前記移動通信端末から返される該移動通信端末の識別情報を受信する受信手段と、
前記受信手段により受信された前記移動通信端末の識別情報に基づき、前記情報保持手段から前記パケット交換ノードを特定する情報を取得し、ページングに対する応答信号を送信すべき前記パケット交換ノードを特定する送信先特定手段と、
を備えることを特徴とする、請求項１に記載の移動通信システム。
【請求項３】
移動通信端末にパケット交換サービスを提供し、該移動通信端末の加入者情報を保持するパケット交換ノードであって、
前記移動通信端末への着信時に、該移動通信端末の前記加入者情報が当該パケット交換ノードに保持されているか否かを確認する確認手段と、
前記確認手段により前記加入者情報が前記パケット交換ノードに保持されていないことが確認された場合に、前記移動通信端末の回線交換サービス用の一時的な識別情報を、前記移動通信端末に回線交換サービスを提供する回線交換ノードから取得する識別情報取得手段と、
前記識別情報取得手段により取得された前記識別情報を前記移動通信端末へのページング指令に付加し、前記移動通信端末の無線通信を制御する無線制御装置に送信するページング制御手段と、
を備えることを特徴とするパケット交換ノード。
【請求項４】
移動通信端末にパケット交換サービスを提供し、移動通信端末のパケット交換サービス用の加入者情報を保持するパケット交換ノードと、該パケット交換ノードと移動通信端末との間の通信を制御する無線制御装置と、移動通信端末に回線交換サービスを提供し、移動通信端末の回線交換サービス用の加入者情報を保持する回線交換ノードとを備え、前記パケット交換ノードの圏内の移動通信端末への着信処理を行う移動通信システムにおいて実行される着信制御方法であって、
前記パケット交換ノードの確認手段が、前記移動通信端末への着信時に、該移動通信端末の前記加入者情報が前記パケット交換ノードに保持されているか否かを確認する確認ステップと、
前記パケット交換ノードの識別情報取得手段が、前記確認ステップにおいて前記加入者情報が前記パケット交換ノードに保持されていないことが確認された場合に、前記移動通信端末の回線交換サービス用の一時的な識別情報を、前記回線交換ノードから取得する識別情報取得ステップと、
前記パケット交換ノードのページング制御手段が、前記識別情報取得ステップにおいて取得された前記識別情報を前記移動通信端末へのページング指令に付加し、前記無線制御装置に送信するページング制御ステップと、
を備えることを特徴とする着信制御方法。
【発明の詳細な説明】
【技術分野】
【０００１】
本発明は、移動通信システム、パケット交換ノード、及び着信制御方法に関する。
【背景技術】
【０００２】
移動通信端末によるデータ通信技術において、ＲＮＣ（Radio Network Controller：無線制御装置）を２以上のコアネットワークと接続可能とした方式であるＩｕ−Ｆｌｅｘが、非特許文献１に規定されている。Ｉｕ−Ｆｌｅｘでは、コアネットワークの１つが故障した場合でも他のコアネットワークに接続することで、故障したコアネットワークにおける通信の全断を回避することができる。
【０００３】
Ｉｕ−Ｆｌｅｘ導入後には、ＲＮＣからコアネットワークが複数認識できるようになるため、移動通信端末の呼制御において、当該端末の加入者情報（加入者プロファイル）を保持しており本来移動通信端末が接続すべきコアネットワークを、複数のコアネットワークの中から選択する必要がある。このため、Ｉｕ−Ｆｌｅｘにおいては、移動通信端末の位置登録処理の際に、当該端末に割り当てられ、端末から払い出される、端末の一時的な識別情報であるＴＭＳＩ（Temporary Mobile Subscriber Identity）／Ｐ−ＴＭＳＩ（Packet Temporary Mobile SubscriberIdentity）のビット列中に、接続すべきコアネットワークのアドレスが設定される。このアドレスのことを非特許文献１ではＮＲＩ（Network Resource Identifier）と定義されている。そして移動通信端末から発信される呼制御信号（位置登録、発信など）（具体的にはRRC_ConnectionRequest）がＲＮＣにて受信されると、ＲＮＣはこの信号に含まれるＴＭＳＩ／Ｐ−ＴＭＳＩからＮＲＩを抽出して、このＮＲＩをみて接続すべきコアネットワークを選択し、選択したコアネットワークに呼制御信号を送信する。コアネットワークは、この呼制御信号に含まれるＴＭＳＩ／Ｐ−ＴＭＳＩを加入者プロファイルに格納して保持する。なお、ＴＭＳＩは、回線交換サービス（ＣＳ）において移動通信端末に割り当てられる識別情報であり、Ｐ−ＴＭＳＩは、パケット交換サービス（ＰＳ）において移動通信端末に割り当てられる識別情報である。
【０００４】
このようにコアネットワークに加入者プロファイルが保持された後に、Ｉｕ−Ｆｌｅｘのもとで実行されるパケット交換サービス（ＰＳ）の着信制御について図４を参照して説明する。図４では、ＧＰＲＳ（General Packet Radio Service）を例示しており、ＧＰＲＳでは、コアネットワークはＳＧＳＮ（Serving GPRS Support Node)８’、ＧＧＳＮ（Gateway GPRS Support Node）７’、及びＨＬＲ（Home Location Register）６’を含んで構成される。なお、この処理の前提として、予め移動通信端末２からの回線交換サービス（ＣＳ）及びパケット交換サービス（ＰＳ）の双方への位置登録処理が行われており、移動通信端末２がＴＭＳＩ及びＰ−ＴＭＳＩの両方を予め保持しており、また、ＳＧＳＮ８’は、移動通信端末２のＰ−ＴＭＳＩを含む加入者プロファイルを保持しているものとする。
【０００５】
まず、移動通信端末２に対する着呼をＧＧＳＮ７’が受信すると、ＧＧＳＮ７’は、移動通信端末２が在圏するエリアのＳＧＳＮ８’を特定する情報を要求する信号であるSRI For GPRSをＨＬＲ６’に送信する（Ｓ２０１）。ＨＬＲ６’は、これに応じてＳＧＳＮ８’を特定する情報であるSGSN Numberを付加したSRI For GPRS ackをＧＧＳＮ７’に返送する（Ｓ２０２）。ＧＧＳＮ８’は、このSGSN Numberにより特定されるＳＧＳＮ８’に対してＰＳ着信信号を送信する（Ｓ２０３）。
【０００６】
ＳＧＳＮ８’は、ＰＳ着信信号を受信すると、着信先の移動通信端末２の加入者プロファイルを検索し、ＳＧＳＮ８’内に保持していること（加入者プロファイル有り）を確認し（Ｓ２０４）、この加入者プロファイルから移動通信端末２のＰ−ＴＭＳＩを取得する（Ｓ２０５）。そして、この取得したＰ−ＴＭＳＩと、Ｇ−ＣＮＩＤ（ＳＧＳＮ８’自身を特定する情報。ＮＲＩを含む）とを引数として設定した、ページング実行指令（RANAP_PAGING）をＲＮＣ３’に送信する（Ｓ２０６）。
【０００７】
ＲＮＣ３’は、RANAP_PAGINGを受信すると、Ｐ−ＴＭＳＩとＧ−ＣＮＩＤを関連付けて保持する（Ｓ２０７）と共に、Ｐ−ＴＭＳＩを引数として設定したページング信号RRC_Pagingをエリア内の移動通信端末２に送信する（Ｓ２０８）。つまりＲＮＣ３’はＰ−ＴＭＳＩでページングを実行する。
【０００８】
移動通信端末２は、ＲＮＣ３’からRRC_Pagingを受信すると、この信号の引数に設定されるＰ−ＴＭＳＩを保持している場合に、まずコアネットワークへの接続要求であるRRC_ConnectionRequestをＲＮＣ３’に送信する（Ｓ２０９）。
【０００９】
ここで、RRC_ConnectionRequestには、移動通信端末２に保持されているＴＭＳＩ、Ｐ−ＴＭＳＩ、ＩＭＳＩのいずれかが移動通信端末２の識別情報が引数パラメータとして設定される。これらの選択基準は、（１）ＴＭＳＩ、（２）Ｐ−ＴＭＳＩ、（３）ＩＭＳＩ（International Mobile Subscriber Identity）の順で優先度が設定されることが非特許文献２に規定されている。つまり、移動通信端末２がＴＭＳＩを保持しているならば、ページングの引数によらず常にＴＭＳＩが選択される。この例では、移動通信端末２がＴＭＳＩを保持しているので、Ｐ−ＴＭＳＩでページングが行われているが、優先度の高いＴＭＳＩを引数として選択し、ＲＮＣ３’に返す。
【００１０】
このような非特許文献２の規定のため、パケット交換サービスの着信制御においては、移動通信端末２にＴＭＳＩが保持されている場合、RRC_ConnectionRequestの引数にＰ−ＴＭＳＩが選択されない。このとき、ＲＮＣ３’が保持している移動通信端末２の識別情報であるＰ−ＴＭＳＩと、RRC_ConnectionRequestの引数であるＴＭＳＩとが一致しないので、ＲＮＣ３’はRRC_ConnectionRequestをRRC_Pagingに対する応答と認識することができない。
【００１１】
続いて、移動通信端末２は、ページング信号（RRC_PAGING）に付加されたＰ−ＴＭＳＩからＮＲＩを抽出する（Ｓ２１０）。そして、ページングに対する応答信号であるRRC_Initial Direct TransferにＴＭＳＩと、抽出したＮＲＩと、「このＮＲＩをＰ−ＴＭＳＩから導出した旨」を引数として付加して、ＲＮＣ３’に送信する。（Ｓ２１１）
【００１２】
そして、ＲＮＣ３’が、移動通信端末２から受信したRRC_Initial Direct Transferから、「Ｐ−ＴＭＳＩからＮＲＩを抽出した旨」を認識すると、ＲＮＣ３’に保持されているＰ−ＴＭＳＩと照合できるので、RRC_Initial Direct TransferをRRC_Pagingに対する応答と認識することができる。そして、ＲＮＣ３’は、このＰ−ＴＭＳＩとくくりつけられてＲＮＣ３’に保持されているＧ−ＣＮＩＤを抽出し、このＧ−ＣＮＩＤ内のＮＲＩで特定されるＳＧＳＮ８’を選択する（Ｓ２１２）。そして、複数のＳＧＳＮから選択された適切なＳＧＳＮ８’にRANAP_Initial UE Messageを送信し（Ｓ２１３）、以降既存処理を経て呼が確立する。
【先行技術文献】
【非特許文献】
【００１３】
【非特許文献１】３ＧＰＰ  ＴＳ２３．２３６
【非特許文献２】３ＧＰＰ  ＴＳ２５．３３１
【発明の概要】
【発明が解決しようとする課題】
【００１４】
上述のように、非特許文献１及び２により規定されるＩｕ−Ｆｌｅｘ導入後のＰＳ着信制御では、コアネットワークのＳＧＳＮが加入者プロファイルを保持していることが前提となっている。しかし、例えばＳＧＳＮがリセットしたときや、ＳＧＳＮが故障から回復したときなどに、ＳＧＳＮに保持されていた加入者プロファイルが消失する場合がある。このような場合、非特許文献１及び２により規定されるＩｕ−ＦｌｅｘにおけるＰＳ着信制御では、呼を確立することができないという問題があった。この問題について図５を参照して具体的に説明する。
【００１５】
図５では、ＳＧＳＮ８’が保持していた加入者プロファイルが、故障回復やリセット処理などにより消失した状態である（Ｓ３０１）。
【００１６】
まず、ステップＳ２０１〜２０３と同様のステップＳ３０２〜３０４を経て、ＳＧＳＮ８’が、加入者プロファイルを検索し、ＳＧＳＮ８’に加入者プロファイルが保持されていないこと（加入者プロファイル無し）を認識する（Ｓ３０５）。ＳＧＳＮ８’は、加入者プロファイルが無い場合、着信先の移動通信端末２のＰ−ＴＭＳＩを取得できないので、Ｐ−ＴＭＳＩのかわりにＩＭＳＩでページングを実施する。つまり、ＩＭＳＩとＧ−ＣＮＩＤを引数として設定したRANAP_PAGINGをＲＮＣ３’に送信する（Ｓ３０６）
【００１７】
ＲＮＣ３’は、RANAP_PAGINGを受信すると、Ｇ−ＣＮＩＤを保持する（Ｓ３０７）と共に、Ｐ−ＴＭＳＩの代わりにＩＭＳＩを引数として設定したページング信号RRC_Pagingをエリア内の移動通信端末２に送信する（Ｓ３０８）。つまりＩＭＳＩでページングを行う。
【００１８】
移動通信端末２は、ＲＮＣ３’からRRC_Pagingを受信すると、この信号の引数に設定されるＩＭＳＩを保持している場合に、まずコアネットワークへの接続要求であるRRC_ConnectionRequestをＲＮＣ３’に送信する（Ｓ２０９）。ここで、ステップＳ２０９と同様に、RRC_ConnectionRequestには、移動通信端末２に保持されているＴＭＳＩが付加され、ＲＮＣに返される。
【００１９】
移動通信端末２は、ページング信号（RRC_PAGING）の引数がＩＭＳＩのため、ＮＲＩを抽出することができない（Ｓ３１０）。そこで、移動通信端末２は、RRC_Initial Direct TransferにはＮＲＩを付加せず、ＩＭＳＩページング応答の旨（Response to IMSI Paging）を付加して、ＲＮＣ３’に送信する（Ｓ３１１）。
【００２０】
そして、ＲＮＣ３’は、RRC_Initial Direct Transferを移動通信端末２から受信しても、この信号にＮＲＩが含まれないので、どのＳＧＳＮに信号（RANAP_Initial UE Message）を返送すべきか認識することができない（Ｓ３１２）。このため、複数のＳＧＳＮから適切なＳＧＳＮ８’にRANAP_Initial UE Messageを送信することができないので、ＰＳ着信処理を完了することができず、呼を確立することができない。
【００２１】
このように、非特許文献１及び２により規定されるＩｕ−ＦｌｅｘにおけるＰＳ着信制御では、移動通信端末の位置登録処理が実行されて、コアネットワーク（ＳＧＳＮ）に移動通信端末の加入者プロファイルが保持されていることが前提とされているので、コアネットワーク（ＳＧＳＮ）の加入者プロファイルが消失した場合については考慮されていなかった。
【００２２】
本発明は、上記の問題を解決するためになされたものであり、Ｉｕ−Ｆｌｅｘ導入後のパケット交換サービス（ＰＳ）の着信制御において、コアネットワークの加入者プロファイルが消失しても、呼を確立させることができる移動通信システム、パケット交換ノード及び着信制御方法を提供することを目的とする。
【課題を解決するための手段】
【００２３】
上記課題を解決するため、本発明に係る移動通信システムは、移動通信端末にパケット交換サービスを提供し、移動通信端末のパケット交換サービス用の加入者情報を保持するパケット交換ノードと、該パケット交換ノードと移動通信端末との間の通信を制御する無線制御装置と、移動通信端末に回線交換サービスを提供し、移動通信端末の回線交換サービス用の加入者情報を保持する回線交換ノードとを備え、パケット交換ノードの圏内の移動通信端末への着信処理を行う移動通信システムであって、パケット交換ノードが、移動通信端末への着信時に、該移動通信端末の加入者情報がパケット交換ノードに保持されているか否かを確認する確認手段と、確認手段により加入者情報がパケット交換ノードに保持されていないことが確認された場合に、移動通信端末の回線交換サービス用の一時的な識別情報を、前記回線交換ノードから取得する識別情報取得手段と、識別情報取得手段により取得された識別情報を移動通信端末へのページング指令に付加し、無線制御装置に送信するページング制御手段と、を備えることを特徴とする。
【００２４】
同様に、上記課題を解決するため、本発明に係る着信制御方法は、移動通信端末にパケット交換サービスを提供し、移動通信端末のパケット交換サービス用の加入者情報を保持するパケット交換ノードと、該パケット交換ノードと移動通信端末との間の通信を制御する無線制御装置と、移動通信端末に回線交換サービスを提供し、移動通信端末の回線交換サービス用の加入者情報を保持する回線交換ノードとを備え、パケット交換ノードの圏内の移動通信端末への着信処理を行う移動通信システムにおいて実行される着信制御方法であって、パケット交換ノードの確認手段が、移動通信端末への着信時に、該移動通信端末の前記加入者情報がパケット交換ノードに保持されているか否かを確認する確認ステップと、パケット交換ノードの識別情報取得手段が、確認ステップにおいて加入者情報がパケット交換ノードに保持されていないことが確認された場合に、移動通信端末の回線交換サービス用の一時的な識別情報を、回線交換ノードから取得する識別情報取得ステップと、パケット交換ノードのページング制御手段が、識別情報取得ステップにおいて取得された識別情報を移動通信端末へのページング指令に付加し、無線制御装置に送信するページング制御ステップと、を備えることを特徴とする。
【００２５】
同様に、上記課題を解決するため、本発明に係るパケット交換ノードは、移動通信端末にパケット交換サービスを提供し、該移動通信端末の加入者情報を保持するパケット交換ノードであって、移動通信端末への着信時に、該移動通信端末の加入者情報が当該パケット交換ノードに保持されているか否かを確認する確認手段と、確認手段により加入者情報がパケット交換ノードに保持されていないことが確認された場合に、移動通信端末の回線交換サービス用の一時的な識別情報を、移動通信端末に回線交換サービスを提供する回線交換ノードから取得する識別情報取得手段と、識別情報取得手段により取得された識別情報を移動通信端末へのページング指令に付加し、移動通信端末の無線通信を制御する無線制御装置に送信するページング制御手段と、を備えることを特徴とする。
【００２６】
このような移動通信システム及び着信制御方法、及びパケット交換ノードによれば、パケット交換ノードに、着信のあった移動通信端末の加入者情報が保持されていない場合に、移動通信端末の回線交換サービス用の一時的な識別情報（ＴＭＳＩ）を、回線交換ノードから取得する。そして、この取得した識別情報を、移動通信端末へのページング指令（RANAP_PAGING）に付加し、無線制御装置に送信する。この構成により、パケット交換ノードの保持されていた加入者情報が消失しても、回線交換ノードから代替的な情報を取得して、ページングを実行することができる。この結果、Ｉｕ−Ｆｌｅｘ導入後のパケット交換サービス（ＰＳ）の着信制御において、パケット交換ノードを含むコアネットワークの加入者プロファイルが消失しても、呼を確立させることができる。
【００２７】
また、ページング指令には、移動通信端末が在圏するパケット交換ノードを特定する情報が含まれており、無線制御装置が、ページング制御手段からページング指令を受信すると、識別情報とパケット交換ノードを特定する情報とを関連づけて保持する情報保持手段と、ページング指令に応じて移動通信端末へ送信されるページング信号に対して移動通信端末から返される該移動通信端末の識別情報を受信する受信手段と、受信手段により受信された移動通信端末の識別情報に基づき、情報保持手段からパケット交換ノードを特定する情報を取得し、ページングに対する応答信号を送信すべきパケット交換ノードを特定する送信先特定手段と、を備えることが好適である。
【００２８】
この構成により、移動通信端末が在圏するパケット交換ノードを特定する情報と、移動通信端末の一時的な識別情報とが関連づけて無線制御装置に保持される。そして、移動通信端末へ送信されるページング信号に応じて移動通信端末から返される該移動通信端末の識別情報に基づき、無線制御装置に保持されている情報を参照して、パケット交換ノードを特定する情報を取得し、ページングに対する応答信号（RANAP_Initial UE Message）を送信すべきパケット交換ノードを特定することができる。このため、Ｉｕ−Ｆｌｅｘ導入後のパケット交換サービス（ＰＳ）の着信制御において、パケット交換ノードを含むコアネットワークの加入者情報が消失しても、呼を確立させることができる。
【発明の効果】
【００２９】
本発明に係る移動通信システム及び着信制御方法によれば、Ｉｕ−Ｆｌｅｘ導入後のパケット交換サービス（ＰＳ）の着信制御において、コアネットワークの加入者プロファイルが消失しても、呼を確立させることができる。
【図面の簡単な説明】
【００３０】
【図１】本発明の一実施形態に係る移動通信システムの機能ブロック図である。
【図２】ＳＧＳＮのハードウェア構成図である。
【図３】本実施形態の移動通信システムにおいて実行される、ＳＧＳＮに加入者プロファイルが無い場合の着信制御処理を示すシーケンス図である。
【図４】ＳＧＳＮに加入者プロファイルがある場合の従来の着信制御処理を示すシーケンス図である。
【図５】ＳＧＳＮに加入者プロファイルが無い場合の従来の着信制御処理を示すシーケンス図である。
【発明を実施するための形態】
【００３１】
移動通信システム１は、移動通信端末２の無線通信を制御するＲＮＣ（Radio Network Controller：無線制御装置）３と、移動通信端末２の加入者プロファイル（加入者情報）を保持し、パケット交換（ＰＳ）又は回線交換（ＣＳ）方式で移動通信端末２の通信を実行するコアネットワーク４と、を含んで構成される。
【００３２】
コアネットワーク４は、ＰＳドメインのコアネットワーク４ａと、ＣＳドメインのコアネットワーク４ｂとを含む。コアネットワーク４ａ，４ｂのそれぞれは、移動体通信網に含まれている。移動通信システム１には、Ｉｕ−Ｆｌｅｘが導入されており、図１には図示しないが、移動体通信網には上述の移動通信端末の加入者プロファイルを保持するコアネットワーク４ａ，４ｂの他に複数のコアネットワークがＲＮＣと接続可能に配置されている。そして、ＰＳドメインのコアネットワーク４ａ、またはＣＳドメインのコアネットワーク４ｂが故障した際には、他のコアネットワークと接続するよう構成されている。
【００３３】
ここで、加入者プロファイルとは、移動通信端末２に係る加入者情報を含むデータのことをいい、ＰＳドメインのコアネットワーク４ａではこの加入者プロファイルに移動通信端末のＰ−ＴＭＳＩが含まれ、一方、ＣＳドメインのコアネットワーク４ｂではこの加入者プロファイルに移動通信端末のＴＭＳＩが含まれる。
【００３４】
特に本実施形態においては、この移動通信システム１は、ＰＳドメインのコアネットワーク４ａにおいて、移動通信端末２へのＰＳ着信があったときに、この移動通信端末２の加入者プロファイルがＰＳドメインのコアネットワーク４ａ（より詳細にはＳＧＳＮ８）から消失していた場合であっても、代替的にＣＳドメイン（より詳細にはＭＳＣ９）からＴＭＳＩを取得してページングを実行することによって、移動通信端末２への呼を確立することを特徴とするものである。
【００３５】
ＰＳドメインのコアネットワーク４ａは、ＨＬＲ６，ＧＧＳＮ７、ＳＧＳＮ８を含んで構成されている。
【００３６】
ＨＬＲ６は、移動通信端末２の電話番号や識別番号などの加入者情報を管理する装置（データベース）である。ＨＬＲ６は、移動通信端末２からの位置登録に基づき、移動通信端末２の加入者プロファイルを保持しているＳＧＳＮ８の情報などを保持している。ＨＬＲ６は、ＧＧＳＮ７と接続されており、ＧＧＳＮ７から移動通信端末２への着信時にSRI For GPRSを受信すると、加入者プロファイルを保持しているＳＧＳＮ８を特定するためのSGSN Numberと、さらに、ＳＧＳＮ８にプロファイルがない場合に本実施形態でＴＭＳＩを要求する、この移動通信端末２のＣＳドメインにおいてプロファイルを保持しているＣＳドメインのコアネットワーク（ＭＳＣ）４ｂを特定するためのVLR Numberとを引数として設定し、SRI For GPRS ackを返信する。
【００３７】
ＧＧＳＮ７は、移動体通信網において、インターネット等の他のデータ通信網とのゲートウェイ機能を有するノードである。ＧＧＳＮ７は、ＨＬＲ６とＳＧＳＮ８とに接続されている。ＧＧＳＮ７は、移動通信端末２への着信信号を外部から受信すると、ＨＬＲ６にSRI For GPRSを送信し、SGSN NumberとVLR Numberとを付加されたSRI For GPRS ackをＨＬＲ６から受信すると、VLR Numberを付加してＰＳ着信信号をＳＧＳＮ８に送信する。
【００３８】
ＳＧＳＮ８は、移動通信端末２の位置管理、セキュリティ管理やアクセス制御を行うノードであり、移動通信端末２にパケット交換サービスを提供するパケット交換ノードである。ＳＧＳＮ８に位置管理される移動通信端末を、ＳＧＳＮに在圏している移動通信端末とよび、ＳＧＳＮ８は在圏している移動通信端末の加入者プロファイルを保持している。ＳＧＳＮ８は、ＲＮＣ３およびＧＧＳＮ７と接続されている。
【００３９】
特に本実施形態では、ＳＧＳＮ８は、故障回復時やリセット時などに、保持していた加入者プロファイルを消失した場合に、ＣＳドメインのコアネットワーク４ｂからＴＭＳＩを取得し、このＴＳＭＩを付加した上でページングを実行するよう構成される。より詳細には、ＳＧＳＮ８は、プロファイル検索部（確認手段）８１と、ＴＭＳＩ取得部（識別情報取得手段）８２と、ページング制御部（ページング制御手段）８３と、プロファイル記憶部８４とを含んで構成される。
【００４０】
プロファイル検索部８１は、ＧＧＳＮ７からＰＳ着信信号を受信したときに、ＳＧＳＮ８内でこの着信信号に係る移動通信端末２の加入者プロファイルをプロファイル記憶部８４から検索し、ＳＧＳＮ８にこの着信信号に係る移動通信端末２の加入者プロファイルが保持されているかを確認する。プロファイル記憶部８４から加入者プロファイルを検索することができず、ＳＧＳＮにプロファイルがないと判定した場合には、その旨をＴＭＳＩ取得部８２に送信する。なお、プロファイル記憶部８４にプロファイルが保持されていた場合には、加入者プロファイルからＰ−ＴＭＳＩを抽出してページング制御部に送信し、従来の非特許文献１に記載されるとおりＰ−ＴＭＳＩでページングを実行する。
【００４１】
ＴＭＳＩ取得部８２は、プロファイル検索部８１によりＳＧＳＮ８に移動通信端末２の加入者プロファイルがないと判定された場合、ＣＳドメインのコアネットワーク４ｂからＴＭＳＩを取得する。より詳細には、ＧＧＳＮ７からのＰＳ着信信号に付加されているVLR Numberで特定されるＣＳドメインのコアネットワーク４ｂ内のＭＳＣ（Mobile Switching Center）９にＴＭＳＩ取得要求を送信し、ＭＳＣ９からＴＭＳＩが付加されたＴＭＳＩ取得応答を受け取る。ＴＭＳＩ取得部８２は、ＭＳＣ９から受け取ったＴＭＳＩをページング制御部８３に送信する。
【００４２】
ページング制御部８３は、ＲＮＣ３にページング指令（RANAP_PAGING）を送信する。プロファイル検索部８１によりＳＧＳＮ８に加入者プロファイルがないと判定された場合、ＴＭＳＩ取得部８２から受信したＴＭＳＩを付加した上で、ＩＭＳＩ及びＧ−ＣＮＩＤを引数とするRANAP_PAGINGをＲＮＣ９に送信し、ＩＭＳＩページングを実行する。なお、Ｇ−ＣＮＩＤは、移動通信端末２が在圏するパケット交換サービス（ＰＳ）に関するコアネットワーク４ａ（より詳細にはＳＧＳＮ８）を特定する情報であり、ＮＲＩが含まれる。
【００４３】
一方、ＳＧＳＮ８に加入者プロファイルがあった場合には、ページング制御部８３は、加入者プロファイルから取得したＰ−ＴＭＳＩを用いて、従来の非特許文献１に記載されるとおりＰ−ＴＭＳＩでページングを実行する。
【００４４】
プロファイル記憶部８４は、在圏する移動通信端末２の加入者プロファイルを記憶する。移動通信端末２の位置登録処理や発信処理が実行されたときに、当該移動通信端末２の加入者プロファイルがプロファイル記憶部８４に保持される。
【００４５】
ＲＮＣ３は、移動通信端末２による無線通信を制御する無線制御装置であり、コアネットワーク４ａ，４ｂとのデータ通信を中継する装置である。特に本実施形態では、ＲＮＣ３は、ＳＧＳＮ８に加入者プロファイルが無くＩＭＳＩページングの指令があった場合に、移動体通信網の複数のＳＧＳＮの中から、ページング指令に対する応答（RANAP_Initial UE Message）を返すＳＧＳＮ８を特定する。ＲＮＣ３は、記憶部（情報保持手段）３１と、通信部（受信手段）３２と、送信先特定部（送信先特定手段）３３とを備えている。
【００４６】
記憶部３１は、ＳＧＳＮ８から送信されたページング信号RANAP_Pagingに含まれるＴＭＳＩとＧ−ＣＮＩＤとを関連付けて記憶する。
【００４７】
通信部３２は、ページング信号RANAP_Pagingに含まれるＩＭＳＩを用いて圏内の通信端末にページングを実行する。そして、このＩＭＳＩを保持する移動通信端末２から応答を受信すると、これを送信先特定部３３に送信する。
【００４８】
送信先特定部３３は、RANAP_Initial UE Messageを送信するＳＧＳＮ８を特定する。より詳細には、送信先特定部３３は、ページング信号に応じて移動通信端末２から受信したRRC_ConnectionRequestに含まれるＴＭＳＩを用いて、記憶部３１にこのＴＭＳＩと関連付けて記憶されているＧ−ＣＮＩＤを抽出し、このＧ−ＣＮＩＤに含まれるＮＲＩを抽出する。そして、ＮＲＩで特定されるＳＧＳＮ８へRANAP_Initial UE Messageを送信する。
【００４９】
ＣＳドメインのコアネットワーク４ｂは、ＭＳＣ９を含んで構成されている。なお、図１には図示しないが、ＣＳドメインのコアネットワーク４ｂには、回線交換サービスを実現するためのＭＳＣ９以外の周知の構成要素も含まれている。
【００５０】
ＭＳＣ９は、ＣＳドメインにおいて移動通信端末２の位置管理、セキュリティ管理やアクセス制御を行うノードであり、移動通信端末２に回線交換サービスを提供する回線交換ノードである。ＭＳＣ９は在圏している移動通信端末の加入者プロファイルを保持している。本実施形態では、ＳＧＳＮ８からＴＭＳＩ取得要求を受け取ると、この要求の引数のＩＭＳＩに基づき加入者プロファイルを検索し、移動通信端末２の加入者プロファイルからＴＭＳＩを取得してＳＧＳＮ８に返す。
【００５１】
移動通信端末２は、携帯電話、ＰＤＡ（Personal Digital Assistant：個人情報端末）、パーソナルコンピュータなど、通信機能を有する装置を含むものであり、移動体通信網を介して他の移動通信端末やサーバコンピュータなどに通信可能な状態で接続される。
【００５２】
図２は、ＳＧＳＮ８のハードウェア構成図である。ＳＧＳＮ８は、物理的には、図２に示すように、ＣＰＵ（CentralProcessing Unit）１０１、ＲＡＭ（Random Access Memory）１０２及びＲＯＭ（Read Only Memory）１０３、ハードディスク装置等の補助記憶装置１０４、入力デバイスである入力キー等の入力装置１０５、ディスプレイ等の出力装置１０６、通信モジュール１０７などを有するコンピュータとして構成されている。図１に示すＳＧＳＮ８の各機能は、ＣＰＵ１０１、ＲＡＭ１０２、ＲＯＭ１０３等のハードウェア上に所定のコンピュータソフトウェアを読み込ませることにより、ＣＰＵ１０１の制御のもとで入力装置１０５、出力装置１０６、通信モジュール１０７を動作させるとともに、ＲＡＭ１０２やＲＯＭ１０３、補助記憶装置１０４におけるデータの読み出し及び書き込みを行うことで実現される。なお、図１に示したＨＬＲ６，ＧＧＳＮ７、ＭＳＣ９，ＲＮＣ３の各機能も、ＳＧＳＮ８について説明したことと同様に、ハードウェア上で実現されるものである。
【００５３】
次に、図３を参照して、本実施形態の移動通信システム１において実行される処理を説明すると共に、本実施形態に係る着信制御方法について説明する。
【００５４】
図３は、移動通信システム１において実行される処理を示すシーケンスである。なお、この処理の前提として、予め移動通信端末２からの回線交換サービス（ＣＳ）及びパケット交換サービス（ＰＳ）の双方への位置登録処理が行われており、移動通信端末２がＴＭＳＩ及びＰ−ＴＭＳＩの両方を予め保持しているものとする。
【００５５】
そして、図３では、図５と同様に、ＳＧＳＮ８がプロファイル記憶部８４に保持していた加入者プロファイルが、故障回復やリセット処理などにより消失した状態である（Ｓ１０１）。
【００５６】
まず、移動通信端末２に対するＰＳ着信をＧＧＳＮ７が受信すると、ＧＧＳＮ７は、図４のステップＳ２０１と同様に、移動通信端末２が在圏するエリアのＳＧＳＮ８を特定する情報を要求する信号であるSRI For GPRSをＨＬＲに送信する（Ｓ１０２）。
【００５７】
ＨＬＲ６は、これに応じて、ＳＧＳＮ８を特定する情報であるSGSN Numberと、ＣＳドメインでこの移動通信端末２の加入者プロファイルを保持しているコアネットワーク（ＭＳＣ９）を特定する情報であるVLR numberを引数として設定したSRI For GPRS ackをＧＧＳＮ７に返送する（Ｓ１０３）。
【００５８】
ＧＧＳＮ７は、このSGSN Numberにより特定されるＳＧＳＮ８に対して、引数としてVLR numberを付加したＰＳ着信信号を送信する（Ｓ１０４）。
【００５９】
次に、ＳＧＳＮ８において、ＰＳ着信信号がＧＧＳＮ７から受信するのに応じて、プロファイル検索部８１により、ＳＧＳＮ８のプロファイル記憶部８４内の加入者プロファイルが検索され、ＰＳ着信の宛先である移動通信端末２の加入者プロファイルがプロファイル記憶部８４に保持されていないこと（加入者プロファイル無し）が認識されると（Ｓ１０５：確認ステップ）、ＴＭＳＩ取得部８２にその旨が送信される。
【００６０】
図５を参照して上述したとおり、ＳＧＳＮ８は、加入者プロファイルが無い場合、着信先の移動通信端末２のＰ−ＴＭＳＩを取得できない。そこで、ＴＭＳＩ取得部８２により、この移動通信端末２がＣＳドメインで位置登録を行い加入者プロファイルが保持されているＭＳＣ９に対して、ＴＭＳＩ取得要求（引数は着信先の通信端末のＩＭＳＩ）が送信される（Ｓ１０６）。ＴＭＳＩ取得部８２は、ＧＧＳＮ７から受信したＰＳ受信信号に付加されたVLR numberに基づいて、ＴＭＳＩ取得要求を送信するＭＳＣ９を特定する。
【００６１】
ＣＳドメインのＭＳＣ９は、ＰＳドメインのＳＧＳＮ８からＴＭＳＩ取得要求を受信すると、引数のＩＭＳＩに対応する移動通信端末２の加入者プロファイルからＴＭＳＩを取得し、これを引数として設定したＴＭＳＩ取得応答をＳＧＳＮ８に返す（Ｓ１０７：識別情報取得ステップ）。
【００６２】
次に、ＳＧＳＮ８において、ＴＭＳＩ取得部８２によりＭＳＣ９からＴＭＳＩ取得応答が受信されると、この応答に含まれるＴＭＳＩがページング制御部８３に送信される。そして、ページング制御部８３により、図５のステップＳ３０６と同様に、Ｐ−ＴＭＳＩがプロファイルから取得できなかったため、Ｐ−ＴＭＳＩのかわりにＩＭＳＩでページングが実施される。また本実施形態では、さらにＴＭＳＩがページング指令（RANAP_PAGING）に付加される。つまり、ページング制御部８３により、ＩＭＳＩおよびＧ−ＣＮＩＤを引数として設定し、さらにＭＳＣ９から取得したＴＭＳＩを付加したRANAP_PAGINGがＲＮＣ３に送信される（Ｓ１０８：ページング制御ステップ）
【００６３】
ＲＮＣ３において、通信部３２によりRANAP_PAGINが受信されると、この信号に含まれるＴＭＳＩとＧ−ＣＮＩＤを関連付けて記憶部３１に保持される（Ｓ１０９）。そして、通信部３２により、ＩＭＳＩを引数として設定したページング信号RRC_Pagingがエリア内の移動通信端末に送信される（Ｓ１１０）。つまりＩＭＳＩでページングが行われる。
【００６４】
移動通信端末２は、ＲＮＣ３からRRC_Pagingを受信すると、この信号の引数に設定されるＩＭＳＩを保持している場合に、まずコアネットワークへの接続要求であるRRC_ConnectionRequestをＲＮＣ３に送信する（Ｓ１１１）。ここで、図４のステップＳ２０９や図５のステップＳ３０９と同様に、RRC_ConnectionRequestには、移動通信端末２に保持されているＴＭＳＩが付加され、ＲＮＣに返される。
【００６５】
移動通信端末２は、ページング信号（RRC_PAGING）の引数がＩＭＳＩのため、ＮＲＩを抽出することができない（Ｓ１１２）。そこで、移動通信端末２は、RRC_Initial Direct TransferにはＮＲＩを付加せず、ＩＭＳＩページング応答の旨（Response to IMSI Paging）を付加して、ＲＮＣ３に送信する（Ｓ１１３）。
【００６６】
ＲＮＣ３において、送信先特定部３３により、信号を返すべきＳＧＳＮ８が特定される（Ｓ１１４）。具体的には、RRC_ConnectionRequestに付加されるＴＭＳＩを用いて、記憶部３１からこのＴＭＳＩと関連付けてられて記憶されているＧ−ＣＮＩＤを抽出する。このＣ−ＣＮＩＤに含まれるＮＲＩを抽出し、このＮＲＩによりＳＧＳＮを特定する。
【００６７】
そして、送信先特定部３３により複数のＳＧＳＮから選択された適切なＳＧＳＮ８に対して、通信部３２により、RANAP_Initial UE Messageが送信され（Ｓ１１５）、以降既存処理を経て呼が確立する。  
【００６８】
このような移動通信システム１及び着信制御方法によれば、ＳＧＳＮ８のプロファイル検索部８１が、ＳＧＳＮ８のプロファイル記憶部８４に、着信のあった移動通信端末２の加入者プロファイルが保持されていないと判定すると、ＳＧＳＮ８のＴＭＳＩ取得部８２が、移動通信端末２の回線交換サービス用の一時的な識別情報（ＴＭＳＩ）を、移動通信端末２に回線交換サービスを提供するＭＳＣ９から取得する。そして、この取得したＴＭＳＩを、移動通信端末２へのページング指令（RANAP_PAGING）に付加し、ＲＮＣ３に送信する。この構成により、ＳＧＳＮ８の加入者プロファイルが消失しても、ＭＳＣ９から代替的な情報（ＴＭＳＩ）を取得して、ページングを実行することができる。この結果、Ｉｕ−Ｆｌｅｘ導入後のパケット交換サービス（ＰＳ）の着信制御において、ＳＧＳＮ８を含むコアネットワーク４ａの加入者プロファイルが消失しても、呼を確立させることができる。
【００６９】
また、ＲＮＣ３の記憶部３１が、移動通信端末２が在圏するＳＧＳＮ８を特定する情報（Ｇ−ＣＮＩＤ）と、移動通信端末２の一時的な識別情報（ＴＭＳＩ）とが関連づけて保持する。そして、ＲＮＣ３の通信部３２が、ページング指令（RANAP_PAGING）に応じて移動通信端末２へ送信されるページング信号に対して移動通信端末２から返される信号（RRC_ConnectionRequest）を受信すると、送信先特定部３３が、この信号に含まれる該移動通信端末の識別情報 (TMSI)に基づき、記憶部３１を参照して、このＴＭＳＩに関連づけられるＧ−ＣＮＩＤを取得し、このＧ−ＣＮＩＤに含まれるＮＲＩに基づいて、ページングに対する応答信号（RANAP_Initial UE Message）を送信すべきコアネットワーク４ａのＳＧＳＮ８を特定することができる。
【００７０】
以上、本発明に係る移動通信システム１及びガイダンス送出方法について好適な実施形態を挙げて説明したが、本発明は上記実施形態に限られるものではない。
【符号の説明】
【００７１】
１…移動通信システム、２…移動通信端末、３…ＲＮＣ（無線制御装置）、３１…記憶部（情報保持手段）、３２…通信部（受信手段）、３３…送信先特定部（送信先特定手段）、８…ＳＧＳＮ（パケット交換ノード）、８１…プロファイル検索部（確認手段）、８２…ＴＭＳＩ取得部（識別情報取得手段）、８３…ページング制御部（ページング制御手段）、９…ＭＳＣ（回線交換ノード）。
【図１】
0005323015.tif 000002
【図２】
0005323015.tif 000003
【図３】
0005323015.tif 000004
【図４】
0005323015.tif 000005
【図５】
0005323015.tif 000006